(57)【要約】【課題】据付状態において水平方向に対して傾斜した接続面を持つフランジを端部に形成した電気機器の容器に、端部にフランジを形成した別の容器を直線棒状の組立ガイドの案内により接続、組み立てるには別の容器を斜めに吊上げなくてはならず作業性が悪く、吊上げバランスも不安定で、危険な作業で、組立時間もかかっていた。【解決手段】棒状組立ガイドに折れ曲がり部を形成し、ガイドの先端を垂直方向に向かせ、別の容器を吊上げて、垂直、水平方向へ移動させて組立ガイドの案内により組み立てる。【選択図】　図１
2004056955.tif 000002
【特許請求の範囲】
【請求項１】
据付状態において水平方向に対して傾斜した接続面を持つフランジを端部に形成した一方の容器と、端部にフランジを形成した他方の容器とを前記フランジ同士を締結することにより組み立てられる電気機器容器の組立ガイドにおいて、一端を一方の容器のフランジに形成されたタップ穴に取り付けられ、他端が垂直方向に向くように折れ曲がり部が形成され、他方の容器のタップ穴より小さい径を有する電気機器容器の組立ガイド。
【請求項２】
折れ曲がり部に曲率を持たせたことを特徴とする請求項１に記載の電気機器容器の組立ガイド。
【請求項３】
折れ曲がり部が分割可能であることを特徴とする請求項１又は２に記載の電気機器容器の組立ガイド。
【発明の詳細な説明】
【０００１】
【発明の属する技術分野】
本発明はガス絶縁開閉装置のような複数個の容器を組み立てて完成される電気機器容器の組立ガイドに関する。
【０００２】
【従来の技術】
ガス絶縁開閉装置のような電気機器は電気機器本体を収納した圧力容器を複数個用意し、これら圧力容器の端部に形成されたフランジ同士をボルトナットなどの締結具で接続することとにより一体化された電気機器容器を完成させている。電気機器のレイアウトの関係から圧力容器も種々の形に造られるため、フランジ面が水平面に対して傾斜する場合もある。このような場合の圧力容器同士の接続組立には困難を要する。
【０００３】
従来のフランジ面が傾斜しているガス絶縁開閉装置の圧力容器の組立作業の形態を図５に示す。図５において１は組み立てられる一方の圧力容器で、設置された状態で端部に形成されたフランジ２が水平面に対して傾斜して形成されている。３は他方の圧力容器で、端部に形成されたフランジ４を前記一方の圧力容器１のフランジ２にボルト、ナットにより締結して一体的に組み立てられる。
【０００４】
このような圧力容器１と３とを組み立てる場合、従来は一方の圧力容器１のフランジ２のタップ穴２ａに直線状のガイド棒から成る組立ガイド５を取付け、他方の圧力容器３をクレーン６とチェーンブロック７とを使用して傾斜角度を微妙に調整しながら圧力容器１のフランジ４取付け面の傾斜角度αに合せて傾けて吊り上げる。クレーン６にて圧力容器３を斜め下方に移動させ、圧力容器３のフランジ４のタップ穴４ａに組立ガイド５の先端を通し、そのまま圧力容器３を移動させてフランジ面を合わせ、フランジ同士をボルト、ナットで締結することにより組立を完了する。
【０００５】
【発明が解決しようとする課題】
上述したような従来の組立手段では、取付ける側の圧力容器３を斜めに吊り上げるためにチェーンブロックを使用して傾斜角度を微妙に調整する必要があり、非常に吊上げバランスがとりにくく、危険な作業であった。また、組立作業にあたってクレーン６以外にチェーンブロック７などを必要とし、使用器具が多種類に渡る欠点があった。さらに、かなりの重量を有する圧力容器３をクレーンで斜めに移動させることは、非常に困難で危険を伴う、時間のかかる作業であり、組立作業性が悪かった。
【０００６】
本発明は上記課題を解決するためになされたもので、その目的はフランジ面が傾斜している電気機器容器の取付け作業において、使用器具を減らし、組立作業性を向上させ、安全に短時間で組立の行える電気機器容器の組立ガイドを得ることを目的とする。
【０００７】
【課題を解決するための手段】
上記目的を達成するために、請求項１に記載の本発明の電気機容器の組立ガイドは、据付状態において水平方向に対して傾斜した接続面を持つフランジを端部に形成した一方の容器と、端部にフランジを形成した他方の容器とを前記フランジ同士を締結することにより組み立てられる電気機器容器の組立ガイドにおいて、一端を一方の容器のフランジに形成されたタップ穴に取り付けられ、他端が垂直方向に向くように折れ曲がり部が形成され、他方の容器のタップ穴より小さい径を有する用にしたことを特徴とする。
【０００８】
この発明によれば、他方の容器をクレーンで垂直、水平方向に移動させ、一方の容器に取り付けた組立ガイドをフランジのタップ穴に挿入させ、そのまま下降させることにより他方の容器が組立ガイドに案内されて一方の容器のフランジの傾斜に合わせて傾き、フランジ面を合わせて締結する。
【０００９】
請求項２に記載の発明は、請求項１に記載の電気機器容器の組立ガイドの発明において、折れ曲がり部に曲率を持たせたことを特徴とする。
この発明によれば他方の容器のフランジが曲率を持った組立ガイドに沿って円滑に案内される。
【００１０】
請求項３に記載の発明は、請求項１又は２に記載の電気機器容器の組立ガイドの発明において、折れ曲がり部が分割可能であることを特徴とする。
この発明によれば、容器の組立終了後組立ガイドを折れ曲がり部で分割して容器の中からスムーズに取り出せる。
【００１１】
【発明の実施の形態】
以下、本発明の実施の形態を図を参照して説明する。図１は本発明の実施の形態を示す図で、圧力容器取付け直前の状態を示す図である。図において、被取付け側の圧力容器１のフランジ２のタップ穴２ａにフランジ２への取付け側がネジになっているガイド棒から成る組立ガイド５が締結され、取付けられている。組立ガイド５は先端がほぼ垂直方向に向くように中間部が緩やかな曲率を持って湾曲状に形成され、その曲がり角度αは、被取付け側の圧力容器１のフランジ２の大地に対する傾き角度αと同じになっている。この組立ガイド５の径は少なくとも取付け側の圧力容器３のフランジ４側に形成されたタップ穴４ａの径よりも若干小さく形成され、フランジ４のタップ穴４ａの対角２点の穴に取り付けられている。
【００１２】
次に組立作業について説明する。まず、取付け側の圧力容器３をクレーン６でフランジ４が水平方向に対して平行になるように吊上げる。そして、圧力容器３のフランジ４のタップ穴４ａが組立ガイド５の先端に位置するように、クレーン６にて圧力容器３を水平方向、垂直方向に動かして圧力容器３を降下させる。フランジ４のタップ穴４ａが組立ガイド５の先端に合ったところでさらに圧力容器３を降下させ、フランジ４のタップ穴４ａに組立ガイド５の先端を挿入する。
【００１３】
フランジ４のタップ穴４ａに組立ガイド５の先端が入った後もそのまま垂直にクレーン６を降下させると湾曲した組立ガイド５に案内されながら圧力容器３は角度αに傾き、フランジ２と４の面を重ね合わせる。この状態でフランジ２とフランジ４の空いているタップ穴を通してボルト、ナットで締結する。さらに、組立ガイド５を圧力容器１のタップ穴２ａら取外し、組立ガイド５が取外されたタップ穴２ａを通してボルト、ナットでさらに締結することにより圧力容器１と３の組立が完了する。
【００１４】
本発明の組立ガイドを用いることにより、フランジの取付け面が水平方向に対して傾斜している圧力容器の取付け作業において、クレーンのみで圧力容器を垂直、水平方向にのみ移動させれば良いので微妙な角度調整をするためのチェーンブロックを必要とせず、したがって、使用器具を減らし、吊上げバランスもとり易く、安全な作業となる。また、重量のある容器を斜めに移動させることがないので安全に、短時間で組立が行え、作業性も向上する。
【００１５】
図２は本発明による電気機器容器の組立ガイドの変形例を示す図で、組立ガイド５の折れ曲がり部５ａから先端部５ｂまでの径を組立ガイド５の先端部５ｂに向かって徐々に細くした形状をしている。
【００１６】
このような本発明の変形例によれば、組立ガイド５の先端をより細くしたので、フランジ４のタップ穴に組立ガイドの先端をさらに容易に挿入できることにより、組立作業時間を短縮することができる。
【００１７】
図３は本発明による電気機器容器の組立ガイドの別の変形例を示す図で、組立ガイド５は中間部で角度を以って折れ曲がった形状をしている。
このような本発明の変形例によれば、図１の実施の形態で示す組立ガイドに比べてフランジ４の案内に若干円滑性に欠けるが、組立ガイド５の製造は非常に容易となる。
【００１８】
図４は本発明による電気機器容器の組立ガイドのさらに別の変形例を示す図で、組立ガイド５は折れ曲がり部５ａで２つに分割できる構造となっており、それぞれはねじ込み式に組み立てられている。
【００１９】
このような本発明の変形例によれば、組立ガイド５が折れ曲がり部で２つに分割できるため、圧力容器の組立終了後、組立ガイド５をフランジ２から取外す際に折れ曲がり部５ａが圧力容器３の主胴と干渉せずに容易に取外すことができ、作業時間を短縮できる。
【００２０】
なお、前記実施の形態の説明においては、ガス絶縁開閉装置の圧力容器の組立について説明したが、本発明はこれに限定されるものではなく、複数個の容器を組立て完成される電気機器の容器であれば他の電気機器容器にも適用し得るものである。
【００２１】
【発明の効果】
以上説明したように本発明によれば、据付状態において水平方向に対して傾斜した接続面を持つフランジを端部に形成した一方の容器と、端部にフランジを形成した他方の容器とを前記フランジ同士を締結することにより組み立てられる電気機器容器の組立に用いられる組立ガイドにおいて、一端を一方の容器のフランジに形成されたタップ穴に取り付けられ、他端が垂直方向に向くように折れ曲がり部を形成し、他方の容器のタップ穴より小さく径を形成したので、フランジ面が傾斜している電気機器容器の取付け作業において、使用器具を減らし、組立作業性を向上させ、安全に短時間で組立の行える電気機器容器の組立ガイドを得ることができる。
【図面の簡単な説明】
【図１】本発明の実施の形態を示す正面図。
【図２】本発明の変形例を示す要部正面図。
【図３】本発明の別の変形例を示す要部正面図。
【図４】本発明のさらに別の変形例を示す要部正面図。
【図５】従来の電気機器容器の組立ガイドを示す正面図。
【符号の説明】
１…一方の圧力容器、２、４…フランジ、２ａ、４ａ…タップ穴、３…他方の圧力容器、５…組立ガイド、５ａ…折れ曲がり部、５ｂ…先端部、６…クレーン、７…チェーンブロック。
【図１】
2004056955.tif 000003
【図２】
2004056955.tif 000004
【図３】
2004056955.tif 000005
【図４】
2004056955.tif 000006
【図５】
2004056955.tif 000007